(57)【特許請求の範囲】
【請求項１】
画像処理装置に有線接続されたネットワーク及び前記ネットワークに接続された無線中継装置を経由して無線通信機器との間で通信を行う第１通信モードと、前記ネットワーク及び前記無線中継装置を経由することなく前記無線通信機器との間で無線通信を行う第２通信モードと、他の無線中継装置を介して接続される前記ネットワーク及び前記無線中継装置を経由して前記無線通信機器との間で通信を行う第３通信モードとを切り替えて前記無線通信機器との間でデータ通信を実行可能な通信処理部と、
ユーザー操作に応じて前記データ通信における通信モードを前記第１通信モード、前記第２通信モード、及び前記第３通信モードのいずれかに切り替え可能な第１切替処理部と、
前記通信モードが前記第１通信モードに設定されている場合に、前記無線通信機器からの前記第２通信モードによる通信開始要求を受け付ける要求受付部と、
前記要求受付部により前記通信開始要求が受け付けられた場合に、前記通信モードを前記第１通信モードから前記第２通信モードに切り替える第２切替処理部と、
を備え、
前記第１切替処理部が、自装置と前記ネットワークとを接続する通信ケーブルが自装置に接続された場合に前記通信モードを前記第２通信モード又は前記第３通信モードから前記第１通信モードに切り替え、自装置と前記通信ケーブルとの接続状態が解消された場合に前記通信モードを前記第１通信モードから前記第２通信モード又は前記第３通信モードに切り替える画像処理装置。
【請求項２】
前記第２切替処理部により前記通信モードが前記第２通信モードに切り替えられた後、前記データ通信が終了した場合に、前記通信モードを前記第１通信モードに切り替える第３切替処理部を更に備える請求項１に記載の画像処理装置。
【請求項３】
前記データ通信で受信したジョブデータに従ってジョブを実行可能なジョブ実行部と、
前記第１通信モードによる前記データ通信で受信した前記ジョブデータに従った前記ジョブの実行中に前記要求受付部により前記通信開始要求が受け付けられた場合に、前記ジョブ実行部による前記ジョブの実行を中断させることが可能な中断処理部と、
前記第３切替処理部により前記通信モードが前記第１通信モードに切り替えられた後に、前記中断処理部により中断された前記ジョブの実行を再開させる再開処理部と、
を更に備える請求項２に記載の画像処理装置。
【請求項４】
前記第１通信モードによる前記データ通信で受信した前記ジョブデータに従った前記ジョブの実行中に前記要求受付部により前記通信開始要求が受け付けられた場合に、前記ジョブ実行部による前記ジョブの実行終了後に前記通信モードを前記第１通信モードから前記第２通信モードに切り替え可能な第４切替処理部と、
ユーザー操作に応じて、前記ジョブの実行中に前記通信開始要求が受け付けられた場合に前記中断処理部及び前記第４切替処理部のいずれの処理が実行されるかを設定可能な制御部と、を備え、
前記第２切替処理部が、前記要求受付部により前記通信開始要求が受け付けられた場合において、前記ジョブの実行中でない場合及び前記ジョブの実行中であって且つ前記中断処理部による処理が実行される場合に、前記通信モードを前記第１通信モードから前記第２通信モードに切り替える請求項３に記載の画像処理装置。
【請求項５】
前記データ通信で受信したジョブデータに従ってジョブを実行可能なジョブ実行部と、
前記第１通信モードによる前記データ通信で受信した前記ジョブデータに従った前記ジョブの実行中に前記要求受付部により前記通信開始要求が受け付けられた場合に、前記ジョブ実行部による前記ジョブの実行終了後に前記通信モードを前記第１通信モードから前記第２通信モードに切り替え可能な第４切替処理部と、
を更に備え、
前記第２切替処理部が、前記要求受付部により前記通信開始要求が受け付けられた場合において、前記ジョブの実行中でない場合に、前記通信モードを前記第１通信モードから前記第２通信モードに切り替える請求項１又は２に記載の画像処理装置。
【請求項６】
原稿から画像データを読み取り可能な画像読取部、及び画像データに基づいて画像を形成可能な画像形成部のいずれか一方又は両方を更に備える請求項１〜５のいずれかに記載の画像処理装置。
【請求項７】
画像処理装置に有線接続されたネットワーク及び前記ネットワークに接続された無線中継装置を経由して無線通信機器との間で通信を行う第１通信モードと、前記ネットワーク及び前記無線中継装置を経由することなく前記無線通信機器との間で無線通信を行う第２通信モードと、他の無線中継装置を介して接続される前記ネットワーク及び前記無線中継装置を経由して前記無線通信機器との間で通信を行う第３通信モードとを切り替えて前記無線通信機器との間でデータ通信を実行可能な通信処理部と、ユーザー操作に応じて前記データ通信における通信モードを前記第１通信モード、前記第２通信モード、及び前記第３通信モードのいずれかに切り替え可能な第１切替処理部と、を備える画像処理装置で実行される通信モード切替方法であって、
前記通信モードが前記第１通信モードに設定されている場合に、前記無線通信機器からの前記第２通信モードによる通信開始要求を受け付ける第１ステップと、
前記第１ステップにより前記通信開始要求が受け付けられた場合に、前記通信モードを前記第１通信モードから前記第２通信モードに切り替える第２ステップと、
自装置と前記ネットワークとを接続する通信ケーブルが自装置に接続された場合に前記通信モードを前記第２通信モード又は前記第３通信モードから前記第１通信モードに切り替え、自装置と前記通信ケーブルとの接続状態が解消された場合に前記通信モードを前記第１通信モードから前記第２通信モード又は前記第３通信モードに切り替えるステップと、
を含む通信モード切替方法。
【発明の詳細な説明】
【技術分野】
【０００１】
本発明は、無線通信機器との間で通信可能な画像処理装置及び通信モード切替方法に関する。
【背景技術】
【０００２】
一般に、プリンターのような画像処理装置は、例えばＬＡＮなどのネットワークに有線接続されることがある（例えば、特許文献１参照）。さらに、前記ネットワークに、無線通信機器との間で無線通信可能な無線中継装置が接続されることがある。この場合、前記無線通信機器は、前記無線中継装置及び前記ネットワークを経由して前記画像処理装置との間で通信を行うことが可能である。また、前記画像処理装置が、前記ネットワーク及び前記無線中継装置を経由することなく前記無線通信機器との間で直接無線通信することが可能であることも考えられる。
【０００３】
さらに、前記画像処理装置が、前記無線中継装置を経由する第１通信モード及び前記無線中継装置を経由しない第２通信モードのいずれかの通信モードを選択して前記無線通信機器との間の通信を行うことが可能な構成も知られている。この種の画像処理装置では、予め定められたユーザー操作に応じて前記通信モードが選択されることが考えられる。
【先行技術文献】
【特許文献】
【０００４】
【特許文献１】特開２０１２−９００２６号公報
【発明の概要】
【発明が解決しようとする課題】
【０００５】
ところで、ユーザー操作に応じて前記通信モードが選択される場合には、前記通信モードを切り替える度にユーザー操作が必要となる。これに対し、前記画像処理装置において、両方の前記通信モードで前記無線通信機器との間の通信を行うことが可能な状態を実現することも考えられる。しかしながら、この場合には、前記画像処理装置のハードウェア又はソフトウェアが複雑になるという問題がある。
【０００６】
本発明の目的は、無線通信機器との間の通信における通信モードの切り替えの手間を簡素な構成で軽減することが可能な画像処理装置及び通信モード切替方法を提供することにある。
【課題を解決するための手段】
【０００７】
本発明の一の局面に係る画像処理装置は、通信処理部と、第１切替処理部と、要求受付部と、第２切替処理部とを備える。前記通信処理部は、画像処理装置に有線接続されたネットワーク及び前記ネットワークに接続された無線中継装置を経由して無線通信機器との間で通信を行う第１通信モードと前記ネットワーク及び前記無線中継装置を経由することなく前記無線通信機器との間で無線通信を行う第２通信モードとを切り替えて前記無線通信機器との間でデータ通信を実行可能である。前記第１切替処理部は、ユーザー操作に応じて前記無線通信機器との間のデータ通信における通信モードを前記第１通信モードから前記第２通信モードに切り替え可能である。前記要求受付部は、前記通信モードが前記第１通信モードに設定されている場合に、前記無線通信機器からの前記第２通信モードによる通信開始要求を受け付ける。前記第２切替処理部は、前記要求受付部により前記通信開始要求が受け付けられた場合に、前記通信モードを前記第１通信モードから前記第２通信モードに切り替える。
【０００８】
本発明の他の局面に係る通信モード切替方法は、画像処理装置に有線接続されたネットワーク及び前記ネットワークに接続された無線中継装置を経由して無線通信機器との間で通信を行う第１通信モードと前記ネットワーク及び前記無線中継装置を経由することなく前記無線通信機器との間で無線通信を行う第２通信モードとを切り替えて前記無線通信機器との間でデータ通信を実行可能な通信処理部と、ユーザー操作に応じて前記無線通信機器との間のデータ通信における通信モードを前記第１通信モードから前記第２通信モードに切り替え可能な第１切替処理部と、を備える画像処理装置で実行される通信モード切替方法であって、以下の第１ステップ及び第２ステップを含む。前記第１ステップは、前記通信モードが前記第１通信モードに設定されている場合に、前記無線通信機器からの前記第２通信モードによる通信開始要求を受け付ける。前記第２ステップは、前記第１ステップにより前記通信開始要求が受け付けられた場合に、前記通信モードを前記第１通信モードから前記第２通信モードに切り替える。
【発明の効果】
【０００９】
本発明によれば、無線通信機器との間の通信における通信モードの切り替えの手間を簡素な構成で軽減することが可能な画像処理装置及び通信モード切替方法が実現される。
【図面の簡単な説明】
【００１０】
【図１】図１は、本発明の実施形態に係る画像処理装置を含む通信システムの構成を示すブロック図である。
【図２】図２は、本発明の実施形態に係る画像処理装置の構成を示す図である。
【図３】図３は、本発明の実施形態に係る画像処理装置で実行される通信モード設定処理の一例を示すフローチャートである。
【図４】図４は、本発明の実施形態に係る画像処理装置で実行される通信モード切替処理の一例を示すフローチャートである。
【発明を実施するための形態】
【００１１】
以下、添付図面を参照しながら、本発明の実施形態について説明し、本発明の理解に供する。なお、以下の実施形態は、本発明を具体化した一例であって、本発明の技術的範囲を限定する性格のものではない。
【００１２】
［通信システム１００］
本発明の実施形態に係る画像処理装置１０を含む通信システム１００は、図１に示すように、画像処理装置１０と、無線中継装置３０と、無線通信機器４０と、無線中継装置５０とを備える。画像処理装置１０は、インターネット又はＬＡＮなどの通信ネットワーク２０と有線接続されており、通信ネットワーク２０を経由して通信ネットワーク２０に接続される通信機器との間でデータ通信を実行可能である。また、画像処理装置１０は、無線中継装置５０を介して通信ネットワーク２０と接続されることで、通信ネットワーク２０を経由して通信ネットワーク２０に接続される通信機器との間でデータ通信を実行することも可能である。
【００１３】
無線通信機器４０は、例えばスマートフォンなどの携帯端末であって、画像処理装置１０又は通信ネットワーク２０に有線接続された無線中継装置３０との間で無線通信を実行可能である。画像処理装置１０は、通信ネットワーク２０及び無線中継装置３０を経由して無線通信機器４０との間でデータ通信を実行可能であると共に、通信ネットワーク２０及び無線中継装置３０を経由することなく無線通信機器４０との間で直接無線によるデータ通信を実行することも可能である。
【００１４】
［画像処理装置１０の概略構成］
以下、図１及び図２を参照しつつ、本発明の実施形態に係る画像処理装置１０の概略構成について説明する。ここで、図２は画像処理装置１０の構成を示す断面模式図である。
【００１５】
図１及び図２に示すように、画像処理装置１０は、ＡＤＦ１、画像読取部２、画像形成部３、給紙部４、制御部５、操作表示部６、及び通信部７を備える。画像処理装置１０は、画像データに基づいて画像を形成するプリンター機能と共に、スキャン機能、ファクシミリ機能、又はコピー機能などの複数の機能を有する複合機である。また、本発明は、プリンター装置、スキャナー装置、ファクシミリ装置、及びコピー機などの画像処理装置に適用可能である。
【００１６】
ＡＤＦ１は、原稿セット部、複数の搬送ローラー、原稿押さえ、及び排紙部を備え、画像読取部２によって読み取られる原稿を搬送する自動原稿搬送装置である。画像読取部２は、原稿台、読取ユニット、複数のミラー、光学レンズ、及びＣＣＤ（Charge Coupled Device）を備え、原稿から画像データを読み取ることが可能である。
【００１７】
画像形成部３は、画像読取部２で読み取られた画像データ又は外部のパーソナルコンピューター等の情報処理装置から入力された画像データに基づいて、電子写真方式で画像を形成可能である。具体的に、画像形成部３は、感光体ドラム、帯電装置、光走査装置（ＬＳＵ）、現像装置、転写ローラー、クリーニング装置、定着ローラー、加圧ローラー、及び排紙トレイを備える。そして、画像形成部３では、給紙部４から供給されるシートに画像が形成されて、画像形成後の前記シートが前記排紙トレイに排出される。なお、前記シートは、紙、コート紙、ハガキ、封筒、及びＯＨＰシートなどのシート材料である。
【００１８】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００１９】
通信部７は、外部の通信機器との間でデータ通信を実行可能な通信インターフェイスである。具体的に、通信部７は、図１に示すように、有線通信部７１及び無線通信部７２を備える。
【００２０】
有線通信部７１は、画像処理装置１０に有線接続された通信ネットワーク２０を経由して、通信ネットワーク２０に接続される通信機器との間でデータ通信を実行可能である。例えば、有線通信部７１は、通信ネットワーク２０及び通信ネットワーク２０に有線接続された無線中継装置３０を経由して、無線通信機器４０との間でデータ通信を実行する。
【００２１】
無線通信部７２は、通信機器との間で無線によるデータ通信を実行可能である。例えば、無線通信部７２は、通信ネットワーク２０及び無線中継装置３０を経由することなく無線通信機器４０との間で直接無線によるデータ通信を実行する。具体的に、無線通信部７２は、無線通信機器４０との間でＷｉ―Ｆｉダイレクト（登録商標）などの無線ＬＡＮの通信規格に従った無線通信を実行することが考えられる。
【００２２】
また、無線通信部７２は、無線通信部７２の通信範囲内に存在する無線中継装置５０を介して接続される通信ネットワーク２０、及び無線中継装置３０を経由して、無線通信機器４０との間でデータ通信を実行することも可能である。
【００２３】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、制御部５は、前記ＲＯＭに予め記憶された各種の制御プログラムを前記ＣＰＵを用いて実行することにより画像処理装置１０を統括的に制御する。なお、制御部５は、集積回路（ＡＳＩＣ）などの電子回路で構成されたものであってもよく、画像処理装置１０を統括的に制御するメイン制御部とは別に設けられた制御部であってもよい。
【００２４】
また、制御部５は、図１に示すように、通信処理部５１、及び第１切替処理部５２を含む。具体的に、制御部５は、前記ＣＰＵを用いて前記ＲＯＭに記憶されている前記制御プログラムを実行することにより、通信処理部５１、及び第１切替処理部５２として機能する。
【００２５】
通信処理部５１は、画像処理装置１０に有線接続された通信ネットワーク２０及び通信ネットワーク２０に接続された無線中継装置３０を経由して無線通信機器４０との間で通信を行う第１通信モードと、通信ネットワーク２０及び無線中継装置３０を経由することなく無線通信機器４０との間で直接無線通信を行う第２通信モードと、無線中継装置５０を介して接続される通信ネットワーク２０及び無線中継装置３０を経由して無線通信機器４０との間で通信を行う第３通信モードとを切り替えて、無線通信機器４０との間でデータ通信を実行可能である。
【００２６】
具体的に、通信処理部５１は、無線通信機器４０との間のデータ通信における通信モードが前記第１通信モードに設定されている場合には、前記有線通信部７１を制御して無線通信機器４０との間でデータ通信を実行する。また、通信処理部５１は、前記通信モードが前記第２通信モードに設定されている場合には、前記無線通信部７２を制御して無線通信機器４０との間でデータ通信を実行する。また、通信処理部５１は、前記通信モードが前記第３通信モードに設定されている場合には、前記無線通信部７２を制御して無線通信機器４０との間でデータ通信を実行する。
【００２７】
第１切替処理部５２は、ユーザー操作に応じて前記通信モードを前記第１通信モード、前記第２通信モード、及び前記第３通信モードのいずれかに切り替え可能である。例えば、第１切替処理部５２は、前記通信モードを切り替える旨の操作入力が操作表示部６に対して行われた場合に、前記通信モードを前記第１通信モード、前記第２通信モード、及び前記第３通信モードのいずれかに切り替える。
【００２８】
また、第１切替処理部５２は、ユーザーにより画像処理装置１０と通信ネットワーク２０とを接続する通信ケーブルが画像処理装置１０に接続された場合に、前記通信モードを前記第３通信モードから前記第１通信モードに切り替える。更に、第１切替処理部５２は、ユーザーにより画像処理装置１０と前記通信ケーブルとの接続状態が解消された場合に、前記通信モードを前記第１通信モードから前記第３通信モードに切り替える。なお、第１切替処理部５２は、ユーザーによる前記通信ケーブルの挿抜に応じて前記通信モードを前記第１通信モードと前記第２通信モードとの間で切り替えてもよい。
【００２９】
［通信モード設定処理］
ここで、図３を参照しつつ、画像処理装置１０において制御部５が前記制御プログラムに従って実行する通信モード設定処理の手順の一例について説明する。ここで、ステップＳ１１、Ｓ１２・・・は、制御部５により実行される処理手順（ステップ）の番号を表している。なお、制御部５は、画像処理装置１０の電源が投入された場合に、前記通信モード設定処理を実行する。
【００３０】
＜ステップＳ１１＞
まず、ステップＳ１１において、制御部５は、画像処理装置１０に前記通信ケーブルが接続されているか否かを判断する。
【００３１】
ここで、制御部５は、画像処理装置１０に前記通信ケーブルが接続されていると判断すると（Ｓ１１のＹｅｓ側）、処理をステップＳ１２に移行させる。また、画像処理装置１０に前記通信ケーブルが接続されていなければ（Ｓ１１のＮｏ側）、制御部５は、処理をステップＳ１１１に移行させる。
【００３２】
＜ステップＳ１２＞
ステップＳ１２において、制御部５は、前記通信モードを前記第１通信モードに設定する。
【００３３】
＜ステップＳ１１１＞
ステップＳ１１１において、制御部５は、前記通信モードを前記第３通信モードに設定する。
【００３４】
＜ステップＳ１３＞
ステップＳ１３において、制御部５は、操作表示部６に対する前記通信モードを切り替える旨の操作入力及び前記通信ケーブルの挿抜のいずれかのユーザー操作が行われたか否かを判断する。
【００３５】
ここで、制御部５は、操作表示部６に対する前記通信モードを切り替える旨の操作入力及び前記通信ケーブルの挿抜のいずれかのユーザー操作が行われたと判断すると（Ｓ１３のＹｅｓ側）、処理をステップＳ１４に移行させる。また、操作表示部６に対する前記通信モードを切り替える旨の操作入力及び前記通信ケーブルの挿抜のいずれのユーザー操作も行われていなければ（Ｓ１３のＮｏ側）、制御部５は、処理をステップＳ１５に移行させる。
【００３６】
＜ステップＳ１４＞
ステップＳ１４において、制御部５は、ステップＳ１３で行われたユーザー操作に応じて前記通信モードを前記第１通信モード、前記第２通信モード、及び前記第３通信モードのいずれかに切り替える。
【００３７】
＜ステップＳ１５＞
ステップＳ１５において、制御部５は、画像処理装置１０の電源が切断されたか否かを判断する。
【００３８】
ここで、制御部５は、画像処理装置１０の電源が切断されたと判断すると（Ｓ１５のＹｅｓ側）、前記通信モード設定処理の実行を終了する。また、画像処理装置１０の電源が切断されていなければ（Ｓ１５のＮｏ側）、制御部５は、処理をステップＳ１３に移行させて、画像処理装置１０の電源が切断されるまでの間、ユーザーによる操作表示部６に対する前記通信モードを切り替える旨の操作入力又は前記通信ケーブルの挿抜を待ち受ける。
【００３９】
ところで、画像処理装置１０において、ユーザー操作に応じて前記通信モードが選択される場合には、前記通信モードを切り替える度にユーザー操作が必要となる。これに対し、画像処理装置１０において、両方の前記通信モードで無線通信機器４０との間の通信を行うことが可能な状態を実現することが考えられる。しかしながら、この場合には、画像処理装置１０のハードウェア又はソフトウェアが複雑になるという問題がある。これに対し、画像処理装置１０では、以下に説明するように、無線通信機器４０との間の通信における前記通信モードの切り替えの手間を簡素な構成で軽減することが可能である。
【００４０】
具体的に、制御部５の前記ＲＯＭには、前記ＣＰＵに後述の通信モード切替処理（図４参照）を実行させるための通信モード切替プログラムが予め記憶されている。なお、前記通信モード切替プログラムは、ＣＤ、ＤＶＤ、フラッシュメモリなどのコンピューター読み取り可能な記録媒体に記録されており、前記記録媒体から読み取られて制御部５の前記ＥＥＰＲＯＭなどの記憶部にインストールされるものであってもよい。
【００４１】
そして、制御部５は、図１に示すように、ジョブ実行部５３、要求受付部５４、第２切替処理部５５、第３切替処理部５６、中断処理部５７、再開処理部５８、及び第４切替処理部５９を更に含む。具体的に、制御部５は、前記ＣＰＵを用いて前記ＲＯＭに記憶されている前記通信モード切替プログラムを実行することにより、ジョブ実行部５３、要求受付部５４、第２切替処理部５５、第３切替処理部５６、中断処理部５７、再開処理部５８、及び第４切替処理部５９として機能する。
【００４２】
ジョブ実行部５３は、無線通信機器４０との間のデータ通信で受信したジョブデータに従ってジョブを実行可能である。例えば、前記ジョブには、無線通信機器４０から送信される印刷データに基づいて画像形成部３に画像を形成させるプリントジョブが含まれる。
【００４３】
要求受付部５４は、前記通信モードが前記第１通信モードに設定されている場合に、無線通信機器４０からの前記第２通信モードによる通信開始要求を受け付ける。具体的に、要求受付部５４は、無線通信部７２を制御して画像処理装置１０の周囲に定期的にビーコン信号を発信させる。そして、要求受付部５４は、前記ビーコン信号に応じて無線通信機器４０から送信される前記通信開始要求を無線通信部７２に受信させることで、前記通信開始要求を受け付ける。
【００４４】
第２切替処理部５５は、要求受付部５４により前記通信開始要求が受け付けられた場合に、前記通信モードを前記第１通信モードから前記第２通信モードに切り替える。
【００４５】
第３切替処理部５６は、第２切替処理部５５により前記通信モードが前記第２通信モードに切り替えられた後、無線通信機器４０との間のデータ通信が終了した場合に、前記通信モードを前記第１通信モードに切り替える。
【００４６】
中断処理部５７は、前記第１通信モードによる前記データ通信で受信した前記ジョブデータに従った前記ジョブの実行中に要求受付部５４により前記通信開始要求が受け付けられた場合に、ジョブ実行部５３による前記ジョブの実行を中断させることが可能である。
【００４７】
再開処理部５８は、第３切替処理部５６により前記通信モードが前記第１通信モードに切り替えられた後に、中断処理部５７により中断された前記ジョブの実行を再開させる。
【００４８】
第４切替処理部５９は、前記第１通信モードによる前記データ通信で受信した前記ジョブデータに従った前記ジョブの実行中に要求受付部５４により前記通信開始要求が受け付けられた場合に、ジョブ実行部５３による前記ジョブの実行終了後に前記通信モードを前記第１通信モードから前記第２通信モードに切り替え可能である。
【００４９】
なお、画像処理装置１０では、前記第１通信モードによる前記データ通信で受信した前記ジョブデータに従った前記ジョブの実行中に要求受付部５４により前記通信開始要求が受け付けられた場合において、中断処理部５７及び第４切替処理部５９のいずれかの処理が実行される。例えば、制御部５は、操作表示部６に対する操作入力に応じて、前記ジョブの実行中に前記通信開始要求が受け付けられた場合に中断処理部５７及び第４切替処理部５９のいずれの処理が実行されるかを設定可能である。
【００５０】
［通信モード切替処理］
以下、図４を参照しつつ、画像処理装置１０において制御部５が前記通信モード切替プログラムに従って実行する通信モード切替処理の手順の一例について説明する。ここで、制御部５は、前記通信モードが前記第１通信モードに設定されている場合に、前記通信モード切替処理を実行する。
【００５１】
＜ステップＳ２１＞
まず、ステップＳ２１において、制御部５は、無線通信機器４０からの前記第２通信モードによる前記通信開始要求を受け付ける。ここに、ステップＳ２１の処理が、本発明における第１ステップの一例であって、制御部５の要求受付部５４により実行される。
【００５２】
ここで、制御部５は、前記通信開始要求を受け付けたと判断すると（Ｓ２１のＹｅｓ側）、処理をステップＳ２２に移行させる。また、前記通信開始要求を受け付けていなければ（Ｓ２１のＮｏ側）、制御部５は、ステップＳ２１で前記通信開始要求の受け付けを待ち受ける。
【００５３】
＜ステップＳ２２＞
ステップＳ２２において、制御部５は、前記第１通信モードによる前記データ通信で受信した前記ジョブデータに従った前記ジョブの実行中であるか否かを判断する。
【００５４】
ここで、制御部５は、前記ジョブの実行中であると判断すると（Ｓ２２のＹｅｓ側）、処理をステップＳ２３に移行させる。また、前記ジョブの実行中でなければ（Ｓ２２のＮｏ側）、制御部５は、処理をステップＳ２５に移行させる。
【００５５】
＜ステップＳ２３＞
ステップＳ２３において、制御部５は、ステップＳ２２で実行中であると判断された前記ジョブの実行を中断させる旨の設定がされているか否かを判断する。
【００５６】
ここで、制御部５は、前記ジョブの実行を中断させる旨の設定がされていると判断すると（Ｓ２３のＹｅｓ側）、処理をステップＳ２４に移行させる。また、前記ジョブの実行を中断させる旨の設定がされていなければ（Ｓ２３のＮｏ側）、制御部５は、処理をステップＳ２３１に移行させる。
【００５７】
＜ステップＳ２３１＞
ステップＳ２３１において、制御部５は、ステップＳ２２で実行中であると判断された前記ジョブの実行が終了するまで待機する。ここで、ステップＳ２３１の処理は、制御部５の第４切替処理部５９により実行される。これにより、前記通信開始要求の受付時に実行されている前記ジョブの実行を、無線通信機器４０から前記第２通信モードで送信される前記ジョブデータに従った前記ジョブの実行に優先させることが可能である。
【００５８】
＜ステップＳ２４＞
ステップＳ２４において、制御部５は、ステップＳ２２で実行中であると判断された前記ジョブの実行を中断させる。ここで、ステップＳ２４の処理は、制御部５の中断処理部５７により実行される。これにより、無線通信機器４０から前記第２通信モードで送信される前記ジョブデータに従った前記ジョブの実行を、前記通信開始要求の受付時に実行されている前記ジョブの実行に優先させることが可能である。
【００５９】
＜ステップＳ２５＞
ステップＳ２５において、制御部５は、前記通信モードを前記第１通信モードから前記第２通信モードに切り替える。ここに、ステップＳ２５の処理が、本発明における第２ステップの一例であって、制御部５の第２切替処理部５５により実行される。なお、ステップＳ２３１の処理に引き続いてステップＳ２５の処理が実行される場合には、ステップＳ２５の処理は制御部５の第４切替処理部５９により実行される。これにより、例えばセキュリティーが厳格である等の理由で通信ネットワーク２０に接続できない携帯端末などの無線通信機器４０が、前記第２通信モードで画像処理装置１０と直接データ通信を実行することが可能である。
【００６０】
＜ステップＳ２６＞
ステップＳ２６において、制御部５は、無線通信機器４０との間で前記第２通信モードによるデータ通信を実行して、無線通信機器４０から前記ジョブデータを受信する。
【００６１】
＜ステップＳ２７＞
ステップＳ２７において、制御部５は、無線通信機器４０との間の前記第２通信モードによるデータ通信が終了したか否かを判断する。具体的に、制御部５は、ステップＳ２６で受信した前記ジョブデータに従った前記ジョブの実行が終了して無線通信機器４０に前記ジョブの実行終了通知が送信された場合に、無線通信機器４０との間の前記第２通信モードによるデータ通信が終了したと判断する。
【００６２】
ここで、制御部５は、無線通信機器４０との間の前記第２通信モードによるデータ通信が終了したと判断すると（Ｓ２７のＹｅｓ側）、処理をステップＳ２８に移行させる。また、無線通信機器４０との間の前記第２通信モードによるデータ通信が終了していなければ（Ｓ２７のＮｏ側）、制御部５は、ステップＳ２７で無線通信機器４０との間の前記第２通信モードによるデータ通信の終了を待ち受ける。
【００６３】
＜ステップＳ２８＞
ステップＳ２８において、制御部５は、前記通信モードを前記第２通信モードから前記第１通信モードに切り替える。ここで、ステップＳ２８の処理は、制御部５の第３切替処理部５６により実行される。これにより、ステップＳ２５で切り替えられた前記通信モードを元に戻すユーザーの手間を省くことが可能である。
【００６４】
＜ステップＳ２９＞
ステップＳ２９において、制御部５は、ステップＳ２４で中断された前記ジョブがあるか否かを判断する。
【００６５】
ここで、制御部５は、中断された前記ジョブがあると判断すると（Ｓ２９のＹｅｓ側）、処理をステップＳ３０に移行させる。また、中断された前記ジョブがなければ（Ｓ２９のＮｏ側）、制御部５は、処理をステップＳ２１に移行させる。
【００６６】
＜ステップＳ３０＞
ステップＳ３０において、制御部５は、ステップＳ２４で中断された前記ジョブの実行を再開させる。ここで、ステップＳ３０の処理は、制御部５の再開処理部５８により実行される。
【００６７】
このように、前記通信モード切替処理では、無線通信機器４０から受け付けられた前記通信開始要求に応じて、前記通信モードが前記第１通信モードから前記第２通信モードに自動的に切り替えられる。そのため、無線通信機器４０との間の通信における前記通信モードの切り替えの手間を簡素な構成で軽減することが可能である。
【符号の説明】
【００６８】
１  ：ＡＤＦ
２  ：画像読取部
３  ：画像形成部
４  ：給紙部
５  ：制御部
５１：通信処理部
５２：第１切替処理部
５３：ジョブ実行部
５４：要求受付部
５５：第２切替処理部
５６：第３切替処理部
５７：中断処理部
５８：再開処理部
５９：第４切替処理部
６  ：操作表示部
７  ：通信部
７１：有線通信部
７２：無線通信部
１０：画像処理装置
２０：通信ネットワーク
３０：無線中継装置
４０：無線通信機器
５０：無線中継装置
１００：通信システム
【図１】
0006330620.tif 000002
【図２】
0006330620.tif 000003
【図３】
0006330620.tif 000004
【図４】
0006330620.tif 000005